(57)【要約】  本開示は、マーカー分子であるアミロイドβ４０（Ａβ４０）、アミロイドβ４２（Ａβ４２）および総タウ（ｔＴａｕ）に基づいて、アミロイド陽性認知症を罹患していると、または発症するリスクがあると個体を同定すること、アミロイド陽性認知症を罹患している、または発症するリスクのある個体の同定のための該マーカー分子の使用、および該マーカー分子の組み合わせの値の増加を有する個体を検出する方法に関する。【選択図】なし【特許請求の範囲】
【請求項１】
アミロイド陽性認知症を罹患していると、または発症するリスクがあると個体を同定する方法であって、
ａ）個体から得られる試料において、マーカー分子であるアミロイドβ４０（Ａβ４０）、アミロイドβ４２（Ａβ４２）、および総タウ（ｔＴａｕ）の量または濃度を測定するステップ、および
ｂ）ステップ（ａ）で決定されたマーカーの合算値を対照値と比較することにより、アミロイド陽性認知症を罹患していると、または発症するリスクがあると個体を同定するステップであって、対照値に対する合算値の増加が、アミロイド陽性認知症を示している、ステップ、
を含み、
試料が、脳試料でも脳脊髄液試料でもない、方法。
【請求項２】
合算値が、試料中のマーカー分子の量または濃度の加重計算によって得られる、請求項１に記載の方法。
【請求項３】
合算値ｖが、以下の式
ｖ＝ａ＊［Ａβ４０］＋ｂ＊［Ａβ４２］＋ｃ＊［ｔＴａｕ］＋ｄ
（式中、ａ、ｂ、およびｃは重み係数を表し、ｄは切片を表す）に従い、
Ａβ４０のレベル（量または濃度）（［Ａβ４０］）、Ａβ４２のレベル（量または濃度）（［Ａβ４２］）およびｔＴａｕのレベル（量または濃度）（［ｔＴａｕ］）に基づく加重計算によって得られる、請求項２に記載の方法。
【請求項４】
マーカーの合算値がカットオフ値を超える場合、個体が、アミロイド陽性認知症を罹患していると、または発症するリスクがあると同定される、請求項１から３のいずれか一項に記載の方法。
【請求項５】
重み係数が、１つまたは複数の参照集団を分析することによって得られている、請求項２または３に記載の方法。
【請求項６】
対照値が、アミロイド陰性対照集団、またはアミロイド陽性対照集団、またはそれらの組み合わせから得られている、請求項１から５のいずれか一項に記載の方法。
【請求項７】
個体が、認知機能的正常（ＣＮ）である、主観的認知機能低下（ＳＣＤ）を罹患している、軽度認知機能障害（ＭＣＩ）を罹患している、またはアルツハイマー病（ＡＤ）、任意に、他の種類の認知症と組み合わされた、特に血管性認知症、レビー小体型認知症および／または前頭側頭葉型認知症と混合された、ＡＤ（混合型認知症）を罹患している、請求項１から６のいずれか一項に記載の方法。
【請求項８】
試料が、特に血清、血漿、および全血からなる群から選択される血液試料、特に血漿である、請求項１から７のいずれか一項に記載の方法。
【請求項９】
マーカー分子が、タンパク質レベルで測定される、請求項１から８のいずれか一項に記載の方法。
【請求項１０】
個体がヒトである、請求項１から９のいずれか一項に記載の方法。
【請求項１１】
アミロイド陽性認知症を罹患している、または発症するリスクがある個体の同定のためのマーカーの組み合わせとしてのＡβ４０、Ａβ４２、およびｔＴａｕの使用であって、参照集団で確立された合算値（対照値）と比較して、個体から得られる試料におけるマーカーの組み合わせの合算値の増加の検出が、アミロイド陽性認知症を示し、試料が、脳試料でも脳脊髄液試料でもない、使用。
【請求項１２】
請求項１１記載の使用であって、請求項２から１０のいずれか一項に規定されるとおりにさらに定義される、前記使用。
【請求項１３】
マーカーの組み合わせの値の増加を有する個体を検出する方法であって、
ａ）個体から得られる試料において、マーカー分子であるＡβ４０、Ａβ４２、およびｔＴａｕの量または濃度を測定するステップ、および
ｂ）１つまたは複数の参照集団で確立されるとおりの合算値（対照値）と比較して、ステップ（ａ）で決定されたマーカーの合算値の増加を検出するステップ、
を含み、
試料が、脳試料でも脳脊髄液試料でもない、方法。
【請求項１４】
請求項１３記載の使用であって、請求項２から１０のいずれか一項に規定されるとおりにさらに定義される、前記方法。
【発明の詳細な説明】
【技術分野】
【０００１】
本発明の要約：
本発明は、マーカー分子であるアミロイドβ４０（Ａβ４０）、アミロイドβ４２（Ａβ４２）および総タウ（ｔＴａｕ）に基づいて、アミロイド陽性認知症を罹患していると、または発症するリスクがあると個体を同定すること、アミロイド陽性認知症を罹患している、または発症するリスクがある個体の同定のための該マーカー分子の使用、および該マーカー分子の組み合わせの値の増加を有する個体を検出する方法に関する。
【背景技術】
【０００２】
本発明の背景：
アルツハイマー病（ＡＤ）は、通常はゆっくりと始まり、経時的に悪化する慢性神経変性疾患である。これは、認知症の症状の６０〜７０％にあたる。最も一般的な初期症状は、最近の出来事を思い出すのが困難であることである（短期記憶喪失）。疾患が進行するにつれて、症状には、言語の問題、見当識障害（迷子になりやすいことを含む）、気分のむら、やる気の喪失、セルフケアの管理の欠如、および行動の問題を含む。その人の状態が悪化するにつれて、家族および社会から引きこもることが多い。徐々に身体機能が失われ、最終的には死に至る。進行の速度は変化し得るが、診断後の一般的な平均余命は３〜９年である。
【０００３】
アルツハイマー病は通常、その人の病歴、親戚の病歴、および行動観察に基づいて診断される。特徴的な神経学的および神経心理学的な特徴の存在、並びに代替的症状の不在は支持的である。コンピューター断層撮影（ＣＴ）または磁気共鳴画像化（ＭＲＩ）、および単一光子放射コンピューター断層撮影（ＳＰＥＣＴ）または陽電子放出断層撮影（ＰＥＴ）を用いた高度な医療画像化は、他の脳病理または認知症の亜型を除外するために使用することが可能である。さらに、医療画像化により、前駆期（軽度認知機能障害）からアルツハイマー病への転換を予測し得る。記憶力検査を含む知的機能の評価により、疾患の状態をさらに特徴付けることができる。医療機関は、開業医の診断プロセスを容易にし、かつ標準化するための診断基準を作成してきた。脳物質が利用可能であり、かつ組織学的に検査可能である死後に、この診断は非常に高い精度で確認することができる。
【０００４】
アルツハイマー病の最も初期の病理学的痕跡は、脳内のＡβ４０およびＡβ４２などのアミロイドβタンパク質の沈着であり、これを同定するための唯一の有効な方法は、アミロイドβの陽電子放出断層撮影（ＰＥＴ）画像化または脳脊髄液中のアミロイドβの測定である。
【０００５】
また、アミロイド陽性患者を同定するために、血液検査が当技術分野において提案されている。質量分析と組み合わせた免疫沈降による高性能血漿アミロイドβバイオマーカーの測定が記載されており、ここではアミロイドβ前駆体タンパク質（ＡＰＰ）６６９−７１１／Ａβ４２の比率およびＡβ４０／Ａβ４２の比率は、患者の個々の脳アミロイドβ陽性状態またはアミロイドβ陰性状態を予測するために使用された（Ｎａｋａｍｕｒａら、２０１８、Ｎａｔｕｒｅ５５４：２４９〜２５４）。
【発明の概要】
【発明が解決しようとする課題】
【０００６】
しかしながら、現在提案されているインビトロ試験は、本出願人よって設定される基準を満たしていない。特に、目的とする高い感度（そのように正しく同定される実際の陽性の割合）および高い特異度（そのように正しく同定される実際の陰性の割合）には達していない。
【０００７】
したがって、アミロイド陽性認知症を罹患していると、または発症するリスクがあると個体を同定する適切な方法が依然として必要とされる。好ましくは、この方法は、安価で、堅牢で、かつ簡単である必要がある。
【課題を解決するための手段】
【０００８】
本発明の詳細な説明：
驚くべきことに、本発明者らは、マーカー分子であるアミロイドβ４０（Ａβ４０）、アミロイドβ４２（Ａβ４２）、および総タウ（ｔＴａｕ）の組み合わせの使用が分析の品質を高めることを見出した。これは、個体の試料で決定されるマーカー分子の量または濃度の加重計算が使用される場合に特に当てはまる。回帰モデルの重み係数を決定するために、様々な集団を使用した。上記のマーカーであるＡβ４０、Ａβ４２およびｔＴａｕの組み合わせの２つのモデル（ｖ＝ａ＊［Ａβ４０］＋ｂ＊［Ａβ４２］＋ｃ＊［ｔＴａｕ］＋ｄ（モデル１）、およびｖ＝ｅ＊［Ａβ４２］／［Ａβ４０］＋ｆ＊［ｔＴａｕ］＋ｇ（モデル２））は、確立された標準（［Ａβ４２］／［Ａβ４０］）よりも優れていたことを示すことができた（要約表５を参照）。
【発明を実施するための形態】
【０００９】
したがって、第１の態様において、本発明は、アミロイド陽性認知症を罹患していると、または発症するリスクがあると個体を同定する方法であって、
ａ）個体から得られる試料において、マーカー分子であるアミロイドβ４０（Ａβ４０）、アミロイドβ４２（Ａβ４２）、および総タウ（ｔＴａｕ）の量または濃度を測定するステップ、および
ｂ）ステップ（ａ）で決定されたマーカーの合算値を、対照値と比較することにより、アミロイド陽性認知症を罹患していると、または発症するリスクがあると個体を同定するステップであって、対照値に対する合算値の増加が、アミロイド陽性認知症を示している、ステップ、
を含み、
該試料が、脳試料でも脳脊髄液試料でもない、方法に関する。
【００１０】
認知症は、日常生活に支障をきたすほど深刻な記憶および他の精神的能力の喪失の総称である。認知症は、脳の物理的変化によって引き起こされる。アルツハイマー病、血管性認知症、レビー小体型認知症、または前頭側頭葉型認知症など、様々な種類の認知症が存在する。認知症は、アミロイド陽性認知症およびアミロイド陰性認知症の２つの群に分けることができる。アミロイド陽性認知症は、脳内のアミロイドプラークを特徴とし、アルツハイマー病が最も顕著な形態である。
【００１１】
アルツハイマー病は、脳内の異常に折りたたまれたアミロイドβタンパク質のプラークおよびタウタンパク質のもつれによって引き起こされるタンパク質ミスフォールディング病（プロテオパチー）と同定されている。プラークは、アミロイドβペプチド（Ａβ）と呼ばれる、長さが３９〜４３のアミノ酸の小ペプチドで構成される。Ａβは、ニューロンの膜を貫通する膜貫通タンパク質である、より大きなアミロイドβ前駆体タンパク質（ＡＰＰ）の断片の群を指す。ＡＰＰは、ニューロンの成長、生存、および損傷後の修復に不可欠である。アルツハイマー病では、ＡＰＰがより小さな断片へ分割されることを引き起こすタンパク質分解プロセスにおいて、ガンマセクレターゼおよびベータセクレターゼが一緒に作用する。これらの断片の１つは、アミロイドβの原線維を生じさせ、次いで老人性プラークとして知られるニューロンの外側に高密形成で沈着する塊を形成する。もつれは、通常はリン酸化されると細胞骨格の微小管を安定化させるタウタンパク質の異常な凝集によって引き起こされる。アルツハイマー病では、タウは過剰リン酸化が行われるようになり、そして他の繊維と対になり始め、神経原線維のもつれを形成し、そしてニューロンの輸送システムを崩壊する。
【００１２】
アミロイドβペプチドの産生および凝集の障害がどのようにしてアルツハイマー病の病理をもたらすのかは正確にはわかっていない。アミロイド仮説では従来、ニューロン変性を引き起こす中心的な事象としてアミロイドβペプチドの蓄積を指摘している。細胞のカルシウムイオン恒常性を破壊する原因となるタンパク質の毒性形態であると考えられる凝集したアミロイド原線維の蓄積は、プログラムされた細胞死（アポトーシス）を誘導する。Ａβはアルツハイマー病の影響を受けた脳の細胞のミトコンドリアに選択的に形成され、特定の酵素の機能およびニューロンによるグルコースの利用を阻害することも知られている。
【００１３】
本発明の目的は、アミロイド陽性認知症を罹患していると、または発症するリスクがあると個体を確実に同定する方法を提供することである。したがって、個体はすでに認知症の徴候および症状を示している場合があり、この方法は、本認知症をアミロイド陽性またはアミロイド陰性と同定するために使用され得る。あるいは、個体は未だに認知症の徴候および症状を示していない場合がある。この場合、この方法は、アミロイド陽性認知症を発症するリスクがあると個体を同定するために使用され得る。
【００１４】
アルツハイマー病または混合型認知症などのアミロイド陽性認知症を罹患していると、または発症するリスクがあると個体を同定するために、試料が個体から取得され、該試料は、脳試料でも脳脊髄液試料でもない。本発明による個体は、任意のヒトまたは非ヒト動物、特に哺乳類、特にヒトであり得る。
【００１５】
本発明では、個体から得られる試料が使用される。試料は、本発明によるマーカーを測定するために適した任意の試料であり得、そしてインビトロでの評価の目的のために得られる生物学的試料を指す。しかしながら、試料は、脳試料でも脳脊髄液試料でもない。試料には、個体と特異的に関連することができ、個体に関する特異的な情報を決定、計算、または推測することができる材料を含む。試料は、個体の生物学的材料の全部または一部から構成されることが可能である。試料はまた、個体に関する情報を提供する試料上で試験を実施することを可能にするように、個体に接触した材料であることも可能である（例えば、綿棒）。試料は、好ましくは、任意の体液を含み得る。試料は、安価で、堅牢で、かつ簡単な試験を可能にするために、簡単に利用できることが好ましい。例示的な試験試料には、血液、血清、血漿、尿、および唾液を含む。試料は、液体または固体であり得、例えば、血液試料は流動性であってもよく、または乾燥した血液スポットであってもよい。試料は、個体から採取してすぐに使用する、または測定ステップａ）の前に処理することができる。処理には、精製（例えば、遠心分離などの分離）、濃縮、希釈、溶出（例えば、固体担体材料から）、細胞成分の溶解、凍結、酸性化、保存などを含み得る。非常に好ましい試料は、全血、血清、または血漿であり、最も好ましい種類の試料の代表は血漿である。
【００１６】
本発明の方法の第１のステップとして、マーカー分子であるアミロイドβ４０（Ａβ４０）、アミロイドβ４２（Ａβ４２）および総タウ（ｔＴａｕ）の量または濃度が試料中で測定される。
【００１７】
アミロイドβペプチドの２つの最も豊富なアロフォーム（ａｌｌｏｆｏｒｍ）（脳のアミロイド沈着物に見られる）は、４０および４２のアミノ酸長である（それぞれＡβ４０およびＡβ４２と指定される）。これら２つのペプチド間の小さな構造の違いにもかかわらず、これらは区別できる臨床的、生物学的、および生物物理学的挙動を表す。
【００１８】
ヒトＡβ４０およびＡβ４２は、タンパク質ＡＰＰのうち、それぞれアミノ酸６７２−７１１およびアミノ酸６７２−７１３からなる（データベースＵｎｉＰｒｏｔＫＢアクセッション番号：Ｐ０５０６７を参照）。ＡＤ患者の脳脊髄液（ＣＳＦ）においてＡβ４２濃度の統計的に有意な減少が、いくつかの研究で確認された。ＣＳＦのＡβ４２の減少はまた、軽度認識機能障害（ＭＣＩ）の患者においても観察されている。いくつかの研究では、ＡＤにおけるＡβ４０のＣＳＦのレベルに変化がないことを示している。他の研究では、ＣＳＦのＡβ比率の値（Ａβ４０／Ａβ４２）が、ＡＤ患者と対照もしくは他の認知症の患者との間により良い判別を提供することを報告している。この２つのタンパク質はまた、血漿試料中のバイオマーカーの候補として提案されている（Ｏｋｅｒｅｋｅら、２００９、Ｊ  Ａｌｚｈｅｉｍｅｒｓ  Ｄｉｓ  １６（２）：２７７〜２８５）。通常、このタンパク質の比率は、アルツハイマー病の特徴評価に使用される（Ｓｐｉｅｓら、２０１０、Ｃｕｒｒ  Ａｌｚｈｅｉｍｅｒ  Ｒｅｓ  ７（５）：４７０〜４７６）（Ｊａｎｅｌｉｄｚｅら、２０１６、Ｓｃｉｅｎｔｉｆｉｃ  Ｒｅｐｏｒｔｓ６、記事番号：２６８０１；ｄｏｉ：１０．１０３８／ｓｒｅｐ２６８０１）。
【００１９】
タウタンパク質は、微小管を安定化させるタンパク質である。タウタンパク質は、中枢神経系（ＣＮＳ）のニューロンに豊富にあり、他の場所ではあまり一般的ではないが、ＣＮＳのアストロサイトおよびオリゴデンドロサイトにおいて非常に低レベルにおいても発現される。アルツハイマー病およびパーキンソン病などの神経系の病理および認知症は、欠陥となり、もはや微小管を適切に安定化しなくなったタウタンパク質に関連している。タウタンパク質は、ヒトではＭＡＰＴ（微小管関連タンパク質タウ）と指定され、１７番染色体上に位置する単一遺伝子の選択的スプライシングの産物である。これまでに、６つのタウのアイソフォームがヒトの脳組織で同定されており、それらは結合ドメインの数によって区別される。タウのアイソフォームの詳細は、Ｈａｍｐｅｌら、２０１０、Ｅｘｐ  Ｇｅｒｏｎｔｏｌ４５、３０〜４４に記載されている。３つのアイソフォームは３つの結合ドメインを有し、他の３つのアイソフォームは４つの結合ドメインを有する。４つの結合ドメインを有するアイソフォームは、３つの結合ドメインを有するアイソフォームよりも微小管の安定化に優れている。アイソフォームは、タウ遺伝子のエクソン２、３、および１０における選択的スプライシングの結果である。タウは、最長のタウアイソフォーム上に７９か所の潜在的なセリン（Ｓｅｒ）およびスレオニン（Ｔｈｒ）のリン酸化部位を有するリンタンパク質である。リン酸化は、正常なタウタンパク質のこれらの部位の約３０か所で報告されている。６つの全てのアイソフォームにおけるリン酸化の程度は、ホスファターゼの活性化により年齢とともに減少する。タウタンパク質の過剰リン酸化は（タウ封入体、ｐＴａｕ）、アルツハイマー病、前頭側頭型認知症、および他のタウオパチーの病理に関与する、対合らせん状フィラメントおよび直線状フィラメントのもつれの自己組織化を引き起こすことが可能である。６つの全てのタウアイソフォームは、アルツハイマー病の脳の対合らせん状フィラメントに頻繁に過剰リン酸化された状態で存在する。誤って折りたたまれる場合、他では非常に可溶性であるこのタンパク質は、多くの神経変性疾患に寄与する、極度に不溶性である凝集体を形成することが可能である。タウタンパク質は、形成されて神経シナプスを遮断するもつれによって引き起こされる生細胞の破壊に直接的に影響を及ぼす。もつれは、タウタンパク質の塊であり、互いにくっついて、脳内の細胞に分配される必要のある必須栄養素を遮断し、細胞を死に至らしめる。したがって、脳脊髄液中のタウの全てのリン酸化アイソフォームおよび非リン酸化アイソフォームを指す総タウ（ｔＴａｕ）、および過剰リン酸化タウ（ｐ−Ｔａｕ）並びにＡβ４２は、前認知症および前臨床段階を含むアルツハイマー病の診断におけるバイオマーカーとして推奨されている（Ｊａｃｋら、２０１１、Ａｌｚｈｅｉｍｅｒ’ｓ＆Ｄｅｍｅｎｔｉａ  ７：２５７〜２６２）。
【００２０】
本発明によれば、マーカーの量または濃度は、アミロイド陽性認知症を罹患していると、または発症するリスクがあると個体を同定するために決定される。物質の量は、原子、分子、電子、およびその他の粒子などの要素粒子の集合の大きさを測定する基準が定義された量である。それは化学量と呼ばれることもある。国際単位系（ＳＩ）は、存在する要素粒子の数に比例する物質量を定義する。物質量のＳＩ単位はモルである。モルは、単位記号はｍｏｌである。物質の濃度は、混合物の総体積で割った成分の量である。質量濃度、モル濃度、数濃度、および体積濃度と、いくつかの種類の数学的記述に分類することができる。濃度という用語は、あらゆる種類の化学混合物に適用できるが、ほとんどの場合、溶液中の溶質および溶媒を指す。モル（量）濃度には、規定濃度および浸透圧濃度などの異形がある。
【００２１】
マーカー分子（特にＡβ４０、Ａβ４２およびｔＴａｕ）を測定する様々な方法が当技術分野で公知であり、これらのいずれも使用することができる。例示的な方法は、実施例に記載されている。好ましくは、マーカーは、特異的な結合物質を使用することにより、液体試料から特異的に測定される。
【００２２】
特異的な結合物質は、例えば、マーカーに対する抗体、またはマーカータンパク質に関連する核酸に相補的な核酸（例えば、マーカーのｍＲＮＡまたはその関連部分に相補的な核酸）である。好ましくは、マーカー分子は、タンパク質レベルで測定される。
【００２３】
マーカーポリペプチドの結合相手としてのタンパク質の決定は、タンパク質またはポリペプチドと特異的に相互作用するタンパク質を同定および取得する任意のいくつかの公知の方法、例えば、米国特許第５，２８３，１７３号および米国特許第５，４６８，６１４号または同等のものに記載されているような、酵母ツーハイブリッドスクリーニングシステムを使用して実施することができる。特異的な結合物質は、好ましくは、対応するその標的分子に対して少なくとも１０７ｌ／ｍｏｌの親和性を有する。特異的な結合物質は、好ましくは、その標的分子に対して１０８ｌ／ｍｏｌの親和性、またはさらにより好ましくは１０９ｌ／ｍｏｌの親和性を有する。当業者が理解するとおり、特異的という用語は、試料中に存在する他の生体分子が、マーカーに特異的な結合物質に有意に結合しないことを指すために使用される。好ましくは、標的分子以外の生体分子への結合のレベルは、それぞれ標的分子への親和性のわずか１０％以下、より好ましくはわずか５％以下である結合親和性となる。好ましい特異的な結合物質は、親和性および特異性に関する上記の最小基準の両方を満たすであろう。
【００２４】
特異的な結合物質は、好ましくは、マーカーであるＡβ４０、Ａβ４２またはｔＴａｕのいずれかと反応する抗体である。抗体という用語は、ポリクローナル抗体、モノクローナル抗体、そのような抗体の抗原結合フラグメント、一本鎖抗体、並びに抗体の結合ドメインを含む遺伝子構築物を指す。
【００２５】
「抗体」という用語は、ポリクローナル抗体、モノクローナル抗体、Ｆ（ａｂ’）２断片、およびＦａｂ断片などのそれらの断片、並びにＡβ４０、Ａβ４２、またはｔＴａｕのポリペプチドに特異的に結合する分子である天然に存在する、または組換えにより産生される結合相手を含む。特異的な結合物質の上記の基準を保持する任意の抗体断片が使用され得る。抗体は、例えば、Ｔｉｊｓｓｅｎ（Ｔｉｊｓｓｅｎ，Ｐ．、Ｐｒａｃｔｉｃｅ  ａｎｄ  ｔｈｅｏｒｙ  ｏｆ  ｅｎｚｙｍｅ  ｉｍｍｕｎｏａｓｓａｙｓ、Ｅｌｓｅｖｉｅｒ  Ｓｃｉｅｎｃｅ  Ｐｕｂｌｉｓｈｅｒｓ  Ｂ．Ｖ．、アムステルダム（１９９０）、本全体、特に４３〜７８頁）に記載されるとおり、最先端の手順によって生成される。さらに、当業者は、抗体の特異的単離に使用することが可能な免疫吸着剤に基づく方法を十分に知っている。これらの手段により、ポリクローナル抗体の品質、したがってイムノアッセイにおけるポリクローナル抗体の性能を高めることができる（Ｔｉｊｓｓｅｎ，Ｐ．、前出、１０８〜１１５頁）。
【００２６】
本発明に開示されるとおり達成するために、例えば、ヤギにおいて産生されるポリクローナル抗体が使用され得る。しかしながら、明らかに、異なる種、例えばラット、ウサギ、またはモルモットからのポリクローナル抗体、並びにモノクローナル抗体も使用することが可能である。モノクローナル抗体は一定の特性を有して必要とされる任意の量にて生産することができるため、それらは臨床ルーチンのアッセイを開発することにおいて理想的なツールとなる。
【００２７】
測定のために、個体から得られる試料は、結合物質マーカー複合体の形成に適切な条件下で、対象とされるマーカーに特異的な結合物質と共にインキュベートされる。発明的な取り組みが全くない当業者がそのような適切なインキュベーション条件を容易に特定することができるため、そのような条件が特定される必要はない。結合物質マーカー複合体の量が測定され、そして本発明の方法および使用において使用される。当業者が理解するとおり、特異的な結合物質マーカー複合体の量を測定する多くの方法が存在し、全て関連する教科書に詳細に記載されている（例えば、上記のＴｉｊｓｓｅｎ  Ｐ．、またはＤｉａｍａｎｄｉｓ，Ｅ．Ｐ．およびＣｈｒｉｓｔｏｐｏｕｌｏｓ，Ｔ．Ｋ．（編）、Ｉｍｍｕｎｏａｓｓａｙ、Ａｃａｄｅｍｉｃ  Ｐｒｅｓｓ、ボストン（１９９６）参照）。
【００２８】
特に、マーカー（Ａβ４０、Ａβ４２およびｔＴａｕ）に対するモノクローナル抗体は、定量的（マーカーの量または濃度が決定される）イムノアッセイで使用される。
好ましくは、対象とされるマーカーは、サンドイッチ型アッセイ形式で検出される。そのようなアッセイでは、第１の特異的な結合物質が、一方の側で対象とされるマーカーを捕捉するために使用され、他方の側で、直接的または間接的に検出可能であるように標識化された第２の特異的な結合物質（例えば、二次抗体）が使用される。第２の特異的な結合物質は、酵素、色素、放射性核種、発光基、蛍光基またはビオチンなどの検出可能なレポーター部分または標識を含有し得る。いずれのレポーター部分または標識は、そのようなシグナルが洗浄後に支持体上に残っている結合物質の量に直接関連付く、または比例する限り、本明細書に開示される方法を用いて使用されることが可能である。よって、固体支持体に結合したまま残る第２の結合物質の量が、特異的に検出可能なレポーター部分または標識に適切な方法を使用して決定される。放射性基の場合、シンチレーション計数またはオートラジオグラフィー法が一般的に適切である。抗体−酵素コンジュゲートは、様々なカップリング技術を使用して調製することができる（報告については、例えば、Ｓｃｏｕｔｅｎ，Ｗ．Ｈ．、Ｍｅｔｈｏｄｓ  ｉｎ  Ｅｎｚｙｍｏｌｏｇｙ  １３５：３０〜６５、１９８７を参照）。分光法は、色素（例えば、酵素反応の比色生成物を含む）、発光基、および蛍光基を検出するために使用することができる。ビオチンは、アビジンまたはストレプトアビジンを使用して検出することが可能であり、異なるレポーター基（通常は放射性もしくは蛍光性基または酵素）へ結合される。酵素レポーター基は、一般に、基質の添加によって（通常は特定の期間）、続いて反応生成物の分光分析、分光光度分析、または他の分析によって検出することが可能である。標準液および標準添加液は、周知の技術を使用して、試料中の抗原のレベルを決定するために使用することができる。
【００２９】
上記のとおり、Ａβ４０レベルを測定する様々な方法が存在する。Ａβ４０のアッセイは、Ａβ４０を特異的に測定するが、例えばＡβ４２またはＡβ４３は測定しない。Ａβ４０の測定は、通常、Ａβ配列１−４０のＣＯＯＨ末端に特異的に結合することに基づいている。Ａβ４０を測定するための市販の製品には、Ａｍｙｌｏｉｄ  ｂｅｔａ４０  Ｈｕｍａｎ  ＥＬＩＳＡ  Ｋｉｔ（Ｔｈｅｒｍｏ  Ｆｉｓｈｅｒ  Ｓｃｉｅｎｔｉｆｉｃ、Ｗａｌｔｈａｍ、ＭＡ、ＵＳＡ）、Ｓｉｍｏａ（商標）Ａβ４０イムノアッセイ（Ｑｕａｎｔｅｒｉｘ  Ｃｏｒｐｏｒａｔｉｏｎ、Ｌｅｘｉｎｇｔｏｎ、ＭＡ、ＵＳＡ）、およびＡｍｙｌｏｉｄ  β１−４０  Ａｓｓａｙ  Ｋｉｔ（Ｃｉｓｂｏ  Ａｓｓａｙｓ、Ｃｏｄｏｌｅｔ、Ｆｒａｎｃｅ）を含む。実施例で使用されるＡβ４０アッセイでは、Ａβ４０のアミノ酸２５−４０に結合する特異的なモノクローナル抗体２３Ｃ２が使用される。好ましくは、Ａβ４０は、製造業者の指示に従い、かつ実施例に詳述されているとおり、Ｅｌｅｓｙｓ（登録商標）測定セルにおいてＥｌｅｓｙｓ（登録商標）ＥＣＬ技術を使用して測定される。
【００３０】
また、Ａβ４２レベルの測定には、様々なアッセイが存在する。Ａβ４２を測定するための市販の製品には、Ａｍｙｌｏｉｄ  ｂｅｔａ４２  Ｈｕｍａｎ  ＥＬＩＳＡ  Ｋｉｔ（Ｔｈｅｒｍｏ  Ｆｉｓｈｅｒ  Ｓｃｉｅｎｔｉｆｉｃ、Ｗａｌｔｈａｍ、ＭＡ、ＵＳＡ）、Ｓｉｍｏａ（商標）Ａβ４２イムノアッセイ（Ｑｕａｎｔｅｒｉｘ  Ｃｏｒｐｏｒａｔｉｏｎ、Ｌｅｘｉｎｇｔｏｎ、ＭＡ、ＵＳＡ）、ＩＮＮＯＴＥＳＴ（登録商標）アミロイドβ（１−４２）（Ｆｕｊｉｒｅｂｉｏ、Ｇｅｎｔ、ＢＥ）およびＥｌｅｃｓｙｓ（登録商標）β−Ａｍｙｌｏｉｄ（１−４２）ＣＳＦアッセイ（識別番号０６９８６８１１−１９０、Ｒｏｃｈｅ  Ｄｉａｇｎｏｓｔｉｃｓ  ＡＧ；ＣＨ）を含む。ドイツのＲｏｃｈｅ  Ｄｉａｇｎｏｓｔｉｃｓ社製のＡβ４２アッセイでは、特異的なモノクローナル抗体２１Ｆ１２および３Ｄ６が使用される。好ましくは、Ａβ４２は、製造業者の指示に従い、かつ実施例に詳述されているとおり、Ｅｌｅｓｙｓ（登録商標）測定セルにおいてＥｌｅｓｙｓ（登録商標）ＥＣＬ技術を使用して測定される。
【００３１】
ｔＴａｕのレベルは、任意の適切な方法で決定することができる。ｔＴａｕを測定する市販の製品には、Ｔａｕ（Ｔｏｔａｌ）Ｈｕｍａｎ  ＥＬＩＳＡ  Ｋｉｔ（Ｔｈｅｒｍｏ  Ｆｉｓｈｅｒ  Ｓｃｉｅｎｔｉｆｉｃ、Ｗａｌｔｈａｍ、ＭＡ、ＵＳＡ）、Ｓｉｍｏａ（商標）Ｈｕｍａｎ  Ｔｏｔａｌ  Ｔａｕ２．０イムノアッセイ（Ｑｕａｎｔｅｒｉｘ  Ｃｏｒｐｏｒａｔｉｏｎ、Ｌｅｘｉｎｇｔｏｎ、ＭＡ、ＵＳＡ）、Ｔｏｔａｌ  Ｔａｕ  ＥＬＩＳＡ  Ｋｉｔ（ヒト）（Ｄｉｎｏｖａ  ＧｍｂＨ、Ｈａｍｂｕｒｇ、ＤＥ）およびＥｌｅｃｓｙｓ（登録商標）Ｔｏｔａｌ−Ｔａｕ  ＣＳＦアッセイ（識別番号０７３５６９９４−１９０、Ｒｏｃｈｅ  Ｄｉａｇｎｏｓｔｉｃｓ  ＡＧ；ＣＨ）を含む。ドイツのＲｏｃｈｅ  Ｄｉａｇｎｏｓｔｉｃｓ社製のｔＴａｕアッセイでは、特異的なモノクローナル抗体５．２８．４６４、４．３５．４１１およびＰＣ１Ｃ６が使用される。好ましくは、ｔＴａｕは、製造業者の指示に従い、実施例に詳述されているとおり、Ｅｌｅｓｙｓ（登録商標）測定セルにおいてＥｌｅｓｙｓ（登録商標）ＥＣＬ技術を使用して測定される。
【００３２】
マーカーのレベルを測定するステップは、以下のとおり実施することができる。試料、および任意にキャリブレータおよび／または対照は、マーカーに対する結合物質の結合を可能にする条件下で、結合物質（例えば、固相上に固定化することができる）と接触し得る。任意に、結合していない結合物質は、分離ステップ（例えば、１つまたは複数の洗浄ステップ）によって除去され得る。この結合した結合物質を検出するために第２の物質（例えば、標識化された物質）が添加され、これに結合して定量することが可能になり得る。任意に、結合していない第２の物質は除去され得る。マーカーの量に比例する第２の結合物質の量は、例えば、標識に基づいて定量され得る。定量は、例えば、各キャリブレータの濃度に対して測定値をプロットすることにより、各アッセイに作成されたキャリブレーション曲線に基づいて行われ得る。よって試料中のマーカーの濃度または量が、キャリブレーション曲線から読み取られ得る。
【００３３】
第２のステップのとおり、ステップ（ａ）で決定されたマーカーの合算値を対照値と比較することにより、アミロイド陽性認知症を罹患していると、または発症するリスクがあると個体が同定され、ここで対照値に対する合算値の増加はアミロイド陽性認知症を示している。マーカーの量または濃度を測定した後（ステップａ）、ステップ（ａ）で測定したマーカー分子の量または濃度の値は、合算値を得るために合算され、そして得られた値は、対照値と比較される。ステップ（ａ）で決定されたマーカーの合算値が対照値に対して増加している場合、個体はアミロイド陽性認知症を罹患していると、または発症するリスクがあると同定される。
【００３４】
本発明の文脈における「合算値を得るために合算する」は、数学的手順を指す。合算値は、数学演算、好ましくはＡβ４０の量／濃度、Ａβ４２の量／濃度、およびｔＴａｕの量／濃度を使用する算術演算に従って計算される。演算の結果は、値、つまり合算値である。合算値は、同じ数学的手順を使用して得られている対照の合算値と比較される。本発明では、通常、個体および対照の合算値を得るために、全てのマーカーの量または濃度のいずれか、好ましくは濃度が使用される。好ましくは、合算値は、マーカーの濃度について得られた値を加算することによって得られる。別の好ましい実施形態では、合算値は、試料中のマーカー分子の量または濃度の加重計算によって得られる。これは、数学的手順においてマーカーは異なる重みが与えられることを意味する。
【００３５】
例えば、ロジスティック回帰分析は、バイナリ結果である「アミロイド陽性」と「アミロイド陰性」とを従属変数として、Ａβ４０、Ａβ４２、およびｔＴａｕの組み合わせを独立変数として用いて実行され得る。分類の精度は、ＲＯＣ（受信者動作特性）曲線下面積（ＡＵＣ）によって評価され得、感度および特異度が計算され得る（以下を参照）。
【００３６】
対照値は、当業者に公知であるとおり、様々な方式で、かつ様々な試験設計を使用して得ることができる。これは、連続結果（本明細書では合算値）をカテゴリーに分割するために使用される。本発明において、カテゴリーは、陽性（個体がアミロイド陽性認知症を罹患している、または発症するリスクがあることを示す）と、陰性（個体がアミロイド陽性認知症を発症していない、または発症するリスクがないことを示す）であり、対照を超える値は、カテゴリーは「陽性」の結果となる。一般的に、外部対照が使用される（つまり、試験された個体から得られるものではない１つまたは複数の試料）。
【００３７】
本発明の一実施形態では、対照値は、所定の条件がないことが知られている個体、すなわち、好ましくは認知症のないアミロイド陰性の個体から、または好ましくは個体の対照集団（参照集団とも呼ばれる）から得られる対照試料を使用して確立される。あるいは、対照値は、特定の状態（アミロイド陽性認知症）を罹患していることが知られている個体の集団の分析に基づいて定義される。本明細書における対照値は、この集団の一般的に決定される値未満であるように選択される必要がある。最後に、対照値は、健康な集団（アミロイド陰性）および罹患した集団（アミロイド陽性認知症）を評価することによって得られ、そしてアミロイド陽性認知症を罹患しているとして、もしくは発症するリスクがあるとして、またはアミロイド陰性／健康として、個体をカテゴリー化するためにカットオフ値を確立し得る。適切な対照試料／集団および／またはそれに確立されるマーカーの対照値を選択することは、開業医の技能の範囲内である。例示的な集団は、実施例に記載される。
【００３８】
対照で確立されるマーカーの絶対値は、使用するアッセイに依存することが当業者によって理解されるであろう。好ましくは、適切な対照／参照集団からの１００人以上の十分に特徴付けられた個体からの試料が、対照値を確立するために使用される。または、好ましい対照／参照集団は、少なくとも２０、３０、５０、２００、５００または１０００人の個体からなるように選択され得る。健康な個体は、対照値を確立するための好ましい参照集団を表す。
【００３９】
本発明によれば、合算値の増加は、将来または現在のアミロイド陽性認知症を示している。この値が増加する場合、アミロイド陽性認知症は、すでに存在する、または将来発生する可能性がある。それにより同定された個体は、さらなる血液試験、ＣＳＦ試験、ＰＥＴのような画像化方法、行動研究または薬剤の投与を含む、さらなる診断または治療方法の対象となり得る。熟練した開業医は、一般的な国の医療行為に応じて適切な手段を選択することができるであろう。
【００４０】
一実施形態では、この値が、対照値に対して、少なくとも１１０％、より好ましくは少なくとも１２０％、より好ましくは少なくとも１３０％、より好ましくは少なくとも１４０％、より好ましくは少なくとも１５０％、より好ましくは少なくとも１６０％、より好ましくは少なくとも１７０％、より好ましくは少なくとも１８０％、さらにより好ましくは少なくとも１９０％に達する場合、この値は増加である。
【００４１】
本発明の場合では、３つのマーカー、すなわち、Ａβ４０、Ａβ４２およびｔＴａｕが、本発明の方法で使用される。したがって、Ａβ４０の量／濃度、Ａβ４２の量／濃度、およびｔＴａｕの量／濃度を使用して合算値が計算される。合算値は、同じ数学的手順を使用して得られている対照の合算値と比較される。
【００４２】
好ましい実施形態では、合算値は、試料中のマーカー分子の量または濃度の加重計算によって得られる。これは、マーカーのそれぞれが、他のマーカーよりも高い、または低いことが可能な個別の重み係数が与えられることを意味する。
【００４３】
より好ましい実施形態では、合算値ｖは、以下の式に従うＡβ４０のレベル（量または濃度）（［Ａβ４０］）、Ａβ４２のレベル（量または濃度）（［Ａβ４２］）およびｔＴａｕのレベル（量または濃度）（［ｔＴａｕ］）に基づく加重計算によって得られる。
【００４４】
ｖ＝ａ＊［Ａβ４０］＋ｂ＊［Ａβ４２］＋ｃ＊［ｔＴａｕ］＋ｄ、
式中、ａ、ｂおよびｃは重み係数を表し、ｄは切片を表す。切片がない場合もある。好ましくは、重み係数は、参照集団を分析することによって得られている。適切な手順は、実施例に記載される。
【００４５】
別の好ましい実施形態では、合算値ｖは、以下の式に従うＡβ４０のレベル（量または濃度）（［Ａβ４０］）、Ａβ４２のレベル（量または濃度）（［Ａβ４２］）およびｔＴａｕのレベル（量または濃度）（［ｔＴａｕ］）に基づく加重計算によって得られる。
【００４６】
ｖ＝ｅ＊［Ａβ４２］／［Ａβ４０］＋ｆ＊［ｔＴａｕ］＋ｇ、
式中、ｅおよびｆは重み係数を表し、ｇは切片を表す。切片がない場合もある。好ましくは、重み係数は、参照集団を分析することによって得られている。適切な手順は、実施例に記載される。
【００４７】
例えば、Ａβ４０、Ａβ４２、およびｔＴａｕの合算値は、参照群の各試料について決定され、その後、合算値の中央値または適切なカットオフを、当業者に公知であるとおり計算することができる。（ａ）適切な参照集団では、Ａβ４０、Ａβ４２、およびｔＴａｕを独立変数として使用して、適切な結果の測定（例えば、アミロイド陽性認知症）を従属変数として用いて回帰モデルを計算することができる。
【００４８】
次いで、集団における各個体の合算値ｖを計算するために、Ａβ４０、Ａβ４２、およびｔＴａｕの回帰モデルによって与えられる回帰係数は、それぞれ重み係数ｉ）ａ、ｂ、およびｃ、またはｉｉ）ｅおよびｆとして、および切片ｉ）ｄ、またはｉｉ）ｇとして、使用することができる。これらの合算値ｖにおいて、対照、例えばカットオフを計算することができる（集団におけるｖの中央値など）。
【００４９】
ｖ値が対照値またはカットオフを超える個体は、アミロイド陽性認知症を罹患していると、または発症するリスクがあると見なされ、対照値またはカットオフ未満の個体は、アミロイド陽性認知症を罹患していないと、または発症するリスクがないと見なされる。
【００５０】
上記の統計的方法は、アミロイド陽性の個体を同定する統計的方法の例にすぎない。熟練した統計学者は、一般的なデータを分析し、次いで適切な対照値またはカットオフを提供するための適切な方法を理解しているであろう。
【００５１】
したがって、好ましい実施形態では、マーカーの合算値がカットオフ値を超える場合、個体は、アミロイド陽性認知症を罹患していると、または発症するリスクがあると同定される。参照集団で測定されるようなマーカーであるＡβ４０、Ａβ４２、およびｔＴａｕの値は、カットオフ値を確立するために使用される。そのようなカットオフ値を超える値は、アミロイド陽性認知症を罹患している、または発症するリスクがある個体を示していると見なされる。一実施形態では、固定されたカットオフ値は、個体の試験の前に確立される、またはすでに確立されていた。このようなカットオフ値は、目的の診断の課題に一致するように選択される。好ましくは、このカットオフは、アミロイド陽性およびアミロイド陰性の個体を含む参照集団の中央値である。適切な中央値またはカットオフ値は、アミロイド陽性認知症を罹患していると、または発症するリスクがあると同定することが期待されていた個体の数に応じて選択され得る。「アミロイド陽性認知症」に選択される個体の数が多いほど、疾患のある、またはリスクのある個体を健康であると誤って特徴付けるリスクが減少し、したがって感度が増加する（真陽性率）。他方、それは、アミロイド陽性認知症を罹患していると、または発症するリスクがあると個体を誤って特徴付けるリスクを高め、したがって特異度を低下させる（真陰性率）。「アミロイド陽性認知症」に選択される個体の数が少ない場合、逆のことが当てはまる。いずれの試験も、通常、測定値間にトレードオフが存在する。例えば、安全に対する潜在的な脅威を試験している空港のセキュリティ設定では、スキャナーは、航空機および搭乗している人に脅威を与える物を逃すリスクを減らすために、ベルトのバックルおよび鍵などのリスクの低い品目（高感度）で作動するように設定され得る（特異度が低い）。このトレードオフは、受信者動作特性曲線として図示することができる（以下を参照）。完全な予測器は、１００％の感度（例えば、全ての病気の人が病気であると同定される）、および１００％の特異度（例えば、全ての健康な人が病気であると同定されない）として記載されるであろう。しかしながら、理論的には、いずれの予測器もベイズ誤り率として知られる最小誤り限界を保有する。カットオフは、感度または特異度のいずれかを高めるために設定され得る。
【００５２】
統計では、受信者動作特性（ＲＯＣ）またはＲＯＣ曲線は、弁別閾値が変動するような二項分類器システムの性能を示すグラフプロットである。この曲線は、様々な閾値設定での偽陽性率（ＦＰＲ）に対して真陽性率（ＴＰＲ）をプロットすることによって作成される。上で詳述したとおり、真陽性率は、感度または感度指数ｄ’としても知られ、信号検出および生物医学情報学では「ｄプライム」、または機械学習では再現率として知られている。偽陽性率はフォールアウトとしても知られ、（１−特異度）として計算することができる。ＲＯＣ曲線は、二分された結果を予測する能力について、値の範囲全体で、感度を特異度に対して比較する。曲線下面積（ＡＵＣ）は、試験性能を比較するための全体的な精度を示している（Ｆｌｏｒｋｏｗｓｋｉ  ＣＭ、２００８、Ｃｌｉｎ  Ｂｉｏｃｈｅｍ  Ｒｅｖ２９（Ｓｕｐｐｌ１）：Ｓ８３〜Ｓ８７）。感度とは、個体を有病として正しく分類する試験の能力である。個体を無病として正しく分類する試験の能力は、特異度と呼ばれる（Ｆａｗｃｅｔｔ  Ｔ、２００６、Ｐａｔｔｅｒｎ  Ｒｅｃｏｇｎｉｔｉｏｎ  Ｌｅｔｔｅｒｓ２７：８６１〜８７４）。
【００５３】
ＲＯＣ分析は、費用状況（ｃｏｓｔ  ｃｏｎｔｅｘｔ）またはクラス分布から独立して（かつそれを特定する前に）、できる限り最適なモデルを選択し、準最適なモデルを捨てるためのツールを提供する。ＲＯＣ分析は、診断意思決定の費用対効果分析に直接的かつ自然な様式で関連している。
【００５４】
上で詳述したとおり、重み係数は、１つまたは複数の参照集団を分析することによって得ることができる。したがって、好ましい実施形態では、重み係数は、１つまたは複数の参照集団を分析することによって得られている。上記によれば、対照値は、アミロイド陰性対照集団もしくはアミロイド陽性対照集団、またはそれらの組み合わせ、すなわち、アミロイド陰性対照集団およびアミロイド陽性対照集団から得られていることがある。
【００５５】
上で詳述したとおり、ＡＤ関連認知症は、脳内のアミロイドベータ沈着に関連している。アミロイドベータ沈着および影響を受けた脳領域を呈する個体の割合は、該疾患の進行とともに増加する。したがって、認知機能的正常（ＣＮ）であり、かつリスクのある個体と見なされる、いずれのＡＤ症状も未だ示さないアミロイド陽性の個体は、ごく一部である。この割合は主観的認知機能低下（ＳＣＤ）および軽度認知機能障害（ＭＣＩ）を有する個体に対して増加する。最後にＡＤは、定義上、アミロイドプラークを特徴とし、それ故アミロイド陽性認知症を特徴とする。ＡＤは、混合型認知症、例えば、血管性認知症、レビー小体型認知症および／または前頭側頭葉型認知症との組み合わせの一部であり得る。したがって、好ましい実施形態では、個体は、認知機能的正常（ＣＮ）である、主観的認知機能低下（ＳＣＤ）を罹患している、軽度認知機能障害（ＭＣＩ）を罹患している、またはアルツハイマー病（ＡＤ）、任意に、他の種類の認知症と組み合わされた、特に血管性認知症、レビー小体型認知症、および／または前頭側頭葉型認知症と混合された、ＡＤ（混合型認知症）を罹患している。
【００５６】
上に詳述したとおり、本発明で分析される試料は、本発明によるマーカーを測定するために適した任意の試料であり得、かつ脳試料でも脳脊髄液試料でもない。一般的には、血液関連試料が、本発明の文脈での使用のための好ましい試験試料である。このため、血液は、静脈から、通常は肘の内側または手の甲から取ることができる。この血液は、例えば、ピペットへ、またはスライドもしくは試験紙上に回収することができる。したがって、本発明の好ましい実施形態では、個体から得られる試料は、特に血清、血漿、および全血からなる群から選択される血液試料であり、特に血漿である。
【００５７】
上で詳述したとおり、マーカー分子は、異なる方法および異なるレベルで測定することができる。好ましくは、マーカー分子は、タンパク質レベルで測定される。
上で詳述したとおり、本発明による個体は、任意のヒトまたは非ヒト動物、特に哺乳動物であり得、特にヒトであり得る。したがって、本明細書に記載の方法および使用は、ヒトおよび獣医学の両方の疾患に適用可能である。明らかに、特に目的の非ヒト哺乳動物には、家畜、ペット、および商業的価値のある動物（例えば、ウマなどの家畜）または個人的価値のある動物（例えば、イヌ、ネコなどのペット）を含む。診断方法が通常採用されるヒト個体で、この方法は特に好まれる。それ故、特に好ましい実施形態では、個体はヒトである。
【００５８】
個体がアミロイド陽性認知症を罹患していると、または発症するリスクがあると同定された後に、適切なステップが推奨され得る、または行われ得る。診断は、脳脊髄液（ｌｉｑｕｏｒ）試験または脳陽電子放出断層撮影（ＰＥＴ）分析によって確認することができる。さらに、このステップは認知症の発生を予防するため、認知症の悪化を予防するため、または該疾患の症状を改善するためである。また、個体の状態の定期的な管理もしくは監視、またはさらなる診断試験が適切な場合がある。予防的手段には、非ステロイド性抗炎症薬の投与、閉経期のホルモン補充療法の回避、ライフスタイルの変化（例えば、より多くの知的活動または適切な食事）を含み得る。ＡＤに関連する認知機能問題の医薬には、アセチルコリンエステラーゼ阻害剤（テリン、リバスチグミン、ガランタミン、およびドネペジルなど）、並びにＮＭＤＡ受容体拮抗薬（メマンチン）を含む。非定型抗精神病薬は、アルツハイマー病の人々の攻撃性および精神病を軽減することにおいて多少有用である。フペルジンＡもまた役立ち得る。心理社会的な発明は、単独で、または他の治療と組み合わせて使用することができる。
【００５９】
第２の態様において、本発明は、アミロイド陽性認知症を罹患している、または発症するリスクがある個体の同定のためのマーカーの組み合わせとしてのＡβ４０、Ａβ４２およびｔＴａｕの使用であって、１つまたは複数の参照集団で確立された合算値（対照値）と比較して、個体から得られる試料におけるマーカーの組み合わせの合算値の増加が検出されることが、アミロイド陽性認知症を示し、該試料が、脳試料でも脳脊髄液試料でもない、使用に関する。
【００６０】
第２の態様による使用は、本発明の第１の態様の方法に規定されるとおりにさらに定義することができる。特に、本開示の第２の態様で使用される用語に関して、本開示の第２の態様にも適用可能である、本開示の第１の態様で使用される用語、実施例、および特定の実施形態が参照される。
【００６１】
第３の態様において、本発明は、マーカーの組み合わせの値の増加を有する個体を検出する方法であって、
ａ）個体から得られる試料において、マーカー分子であるＡβ４０、Ａβ４２、およびｔＴａｕの量または濃度を測定するステップ、および
ｂ）１つまたは複数の参照集団で確立されるとおりの合算値（対照値）と比較して、ステップ（ａ）で決定されたマーカーの合算値の増加を検出するステップ、
を含み、
該試料が、脳試料でも脳脊髄液試料でもない、方法に関する。
【００６２】
第３の態様による方法は、本発明の第１の態様の方法に規定されるとおりにさらに定義することができる。特に、本開示の第３の態様で使用される用語に関して、本開示の第３の態様にも適用可能である、本開示の第１の態様で使用される用語、実施例、および特定の実施形態が参照される。
【００６３】
全体として、本開示は、本明細書に記載の特定の方法論、手順、および試薬が変化し得るために、それらに限定されない。さらに、本明細書で使用される専門用語は、特定の実施形態を説明することのみを目的としており、本開示の範囲を限定することを意図するものではない。本明細書および添付の特許請求の範囲で使用されるとおり、単数形「ａ」、「ａｎ」、および「ｔｈｅ」は、その内容について別段の明確な指示がない限り、複数参照を含む。同様に、「含む（ｃｏｍｐｒｉｓｅ）」、「含有する（ｃｏｎｔａｉｎ）」、「包含する（ｅｎｃｏｍｐａｓｓ）」という言葉は、排他的ではなく包括的に解釈される。
【００６４】
別段の定義がない限り、本明細書で使用される全ての技術用語および科学用語および頭字語は、本開示の分野における当業者によって通常理解されるものと同じ意味を有する。本明細書に記載されているものと類似または同等の任意の方法および材料は、本明細書に提示されているとおり実際に使用することができるが、特定の方法および材料が本明細書に記載されている。
【００６５】
本開示は、以下の図および実施例によってさらに説明されるが、図および実施例は、単に説明の目的で含まれており、特に明記しない限り、本開示の範囲を限定することを意図するものではないことが理解される。
【図面の簡単な説明】
【００６６】
【図１】図１〜図４は、ヒト個体の４つの異なる集団のＲＯＣ曲線を示す図である。図１：集団１：実施例１で定義されるとおり、認知機能正常、神経疾患、および異なる種類の認知症の患者
【図２】図１〜図４は、ヒト個体の４つの異なる集団のＲＯＣ曲線を示す図である。図２：集団２：実施例２で定義されるとおり、認知機能正常、およびアルツハイマー病の様々な病期の患者
【図３】図１〜図４は、ヒト個体の４つの異なる集団のＲＯＣ曲線を示す図である。図３：集団３：実施例３で定義されるとおり、認知機能正常、および軽度認知障害のある患者
【図４】図１〜図４は、ヒト個体の４つの異なる集団のＲＯＣ曲線を示す図である。図４：集団４：実施例４で定義されるとおり、認知機能正常、および軽度認知機能障害または軽度アルツハイマー病の患者
【実施例】
【００６７】
実施例１
Ｅｌｅｃｓｙｓ（登録商標）サンドイッチアッセイの一般的な説明
Ｅｌｅｃｓｙｓ（登録商標）サンドイッチアッセイは、Ｅｌｅｃｓｙｓ（登録商標）システムで実施されるイムノアッセイである。これは、抗体−抗原−抗体のサンドイッチの形成と、ストレプトアビジンでコーティングされた微粒子へのその結合に基づいている。一次および二次のモノクローナル抗体は、目的の標的抗原（β４０、Ａβ４２またはｔＴａｕ）に結合させるために使用される（使用したインキュベーション時間：９分）。一次抗体はビオチン化され、二次抗体はルテニウム標識化されるルテニル化（ｒｕｔｈｅｎｙｌａｔｅｄ）がされている。さらに、ストレプトアビジンでコーティングされた微粒子は（９分間続く第２のインキュベーションステップでの添加を使用して）存在している。２つの抗体が標的抗原に結合し、ストレプトアビジンがビオチンに結合すると、以下を含む複合体：
微粒子  −  一次抗体  −  標的  −  二次抗体  −  ルテニウム
が形成され、該複合体は、特に該微粒子を使用して電極の表面に（例えば、該微粒子が常磁性である場合、磁場を適用することによって）検出装置に固定化することができ、これはルテニウム標識を使用して化学発光に基づいて測定セルにおいて検出することができる。
【００６８】
１．１  ＣＳＦアッセイ
１．１．１  Ｅｌｅｃｓｙｓ（登録商標）総Ｔａｕ  ＣＳＦアッセイ
Ｅｌｅｃｓｙｓ（登録商標）総Ｔａｕ  ＣＳＦアッセイ（識別番号０７３５６９９４−１９０、Ｒｏｃｈｅ  Ｄｉａｇｎｏｓｔｉｃｓ  ＡＧ；ＣＨ）を、脳脊髄液（ＣＳＦ）試料中のｔＴａｕを決定するために使用した。
【００６９】
第１のインキュベーション（９分）：５０μＬの試料、２つのビオチン化モノクローナルＴａｕ特異的抗体（５．２８．４６４および４．３５．４１１、Ｒｏｃｈｅ  Ｄｉａｇｎｏｓｔｉｃｓ  ＡＧ；ＣＨ）、およびルテニウム錯体（トリス（２，２’−ビピリジル）ルテニウム（ＩＩ）−錯体；Ｒｕ（ｂｐｙ））で標識化されたモノクローナルＴａｕ特異的抗体（ＰＣ１Ｃ６；ＭＡＢ３４２０；例えばＭｅｒｃｋ  ＫＧａＡ、ＤＥから入手可能）を共培養し、２つのビオチン化抗体、ｔＴａｕ、およびルテニル化抗体を含むサンドイッチ複合体を形成した。
【００７０】
第２のインキュベーション（９分）：ストレプトアビジンでコーティングされた微粒子（Ｅｌｅｃｓｙｓ（登録商標）ビーズ）を第１のインキュベーションのステップの混合物に添加し、この第２のインキュベーション中に、ビオチン化抗体、タウ、およびルテニル化抗体を含む複合体を、ビオチンとストレプトアビジンとの相互作用を介して固相に結合させた。
【００７１】
測定：反応混合物を測定セル中へ吸引し、微粒子を電極の表面に磁気的に捕捉した。次いで、結合していない物質をＰｒｏＣｅｌｌ／ＰｒｏＣｅｌｌ  Ｍで除去した。電極に電圧を印可すると、化学発光が誘導され、これを光電子増倍管により測定した。結果は、２点キャリブレーションによって特別に生成される手段であるキャリブレーション曲線と、試薬バーコードまたは電子バーコードを介して提供されるマスター曲線を介して決定した。
【００７２】
１．１．２  Ｅｌｅｃｓｙｓ（登録商標）β−アミロイド（１−４２）ＣＳＦアッセイ
Ｅｌｅｃｓｙｓ（登録商標）β−アミロイド（１−４２）ＣＳＦアッセイ（識別番号０６９８６８１１−１９０、Ｒｏｃｈｅ  Ｄｉａｇｎｏｓｔｉｃｓ  ＡＧ；ＣＨ）を、脳脊髄液試料中のＡβ４２を決定するために使用した。
【００７３】
第１のインキュベーション（９分）：５０μＬの試料、ビオチン化モノクローナルβ−アミロイド（１−４２）特異的抗体（２１Ｆ１２）、およびルテニウム錯体で標識化されたモノクローナルβ−アミロイド特異的抗体（３Ｄ６）を共培養し、ビオチン化抗体、Ａβ４２、およびルテニル化抗体を含むサンドイッチ複合体を形成した。
【００７４】
第２のインキュベーション（９分）：ストレプトアビジンでコーティングされた微粒子（Ｅｌｅｃｓｙｓ（登録商標）ビーズ）を第１のインキュベーションのステップの混合物に添加し、この第２のインキュベーション中に、ビオチン化抗体、Ａβ４２、およびルテニル化抗体を含む複合体を、ビオチンとストレプトアビジンとの相互作用を介して固相に結合させた。
【００７５】
測定：反応混合物を測定セル中へ吸引し、微粒子を電極の表面に磁気的に捕捉した。次いで、結合していない物質をＰｒｏＣｅｌｌ／ＰｒｏＣｅｌｌ  Ｍで除去した。電極に電圧を印可すると、化学発光が誘導され、これを光電子増倍管により測定した。結果は、２点キャリブレーションによって特別に生成される手段であるキャリブレーション曲線と、試薬バーコードまたは電子バーコードを介して提供されるマスター曲線を介して決定した。
【００７６】
１．２．血漿アッセイ
１．２．１  Ｅｌｅｃｓｙｓ（登録商標）総Ｔａｕ血漿アッセイ
この血漿の適用では、ＣＳＦアッセイ（１．１．１を参照）と同じ試薬を使用した。
・  Ｒ１＝ビオチン化抗体を含有する、すぐに使用できる液体試薬
・  Ｒ２＝Ｒｕ標識抗体を含有する、すぐに使用できる液体試薬
・  Ｍ＝ストレプトアビジンでコーティングされた微粒子を含有する、すぐに使用できる液体試薬
ＣＳＦアッセイと比較すれば、血漿における様々な試料マトリックスおよび様々な分析対象物のレベルを克服するために、他のキャリブレータおよび対照のみを使用した。化学的に合成されたタウ抗原（ＣＳＦアッセイと同じ）を、タンパク質含有ＴＲＩＳ緩衝液に約０、３０、１００、５００、および５０００ｐｇ／ｍｌの濃度で添加した。これらのキャリブレータを、使用前に−８０℃にて冷凍した。
【００７７】
第１のインキュベーション、第２のインキュベーション、および測定は、結果を５点のキャリブレーション曲線によって生成されるキャリブレーション曲線を介して決定したことを除いて、１．１．１で詳述されるとおりに実施した。
【００７８】
１．２．２  Ｅｌｅｃｓｙｓ（登録商標）β−アミロイド（１−４２）血漿アッセイ
この血漿の適用では、ＣＳＦアッセイ（１．１．２を参照）と同じ試薬を使用した。
・  Ｒ１＝ビオチン化抗体を含有する、すぐに使用できる液体試薬
・  Ｒ２＝Ｒｕ標識抗体を含有する、すぐに使用できる液体試薬
・  Ｍ＝ストレプトアビジンでコーティングされた微粒子を含有する、すぐに使用できる液体試薬
ＣＳＦアッセイと比較すれば、血漿における様々な試料マトリックスおよび様々な分析対象物のレベルを克服するために、他のキャリブレータおよび対照のみを使用した。化学的に合成されたＡβ４２抗原（ＣＳＦアッセイと同じ）をウマ血清に約０、２０、５０、２５０および１２００ｐｇ／ｍｌの濃度で添加した。これらのキャリブレータを、使用前に−８０℃にて冷凍した。
【００７９】
第１のインキュベーション、第２のインキュベーション、および測定は、結果を５点のキャリブレーション曲線によって生成されるキャリブレーション曲線を介して決定したことを除いて、１．１．２で詳述されるとおりに実施した。
【００８０】
１．２．３  Ｅｌｅｃｓｙｓ（登録商標）β−アミロイド（１−４０）血漿アッセイ
第１のインキュベーション（９分）：５０μＬの試料、ビオチン化モノクローナルＡβ４０特異的抗体（２３Ｃ２）、およびルテニウム錯体で標識化されたモノクローナルβ−アミロイド特異的抗体（３Ｄ６）を共培養し、ビオチン化抗体、Ａβ４０およびルテニル化抗体を含むサンドイッチ複合体を形成した。
【００８１】
第２のインキュベーション（９分）：ストレプトアビジンでコーティングされた微粒子（Ｅｌｅｃｓｙｓ（登録商標）ビーズ）を第１のインキュベーションのステップの混合物に添加し、この第２のインキュベーション中に、ビオチン化抗体、Ａβ４０、およびルテニル化抗体を含む複合体を、ビオチンとストレプトアビジンとの相互作用を介して固相に結合させた。
【００８２】
測定：反応混合物を測定セル中に吸引し、微粒子を電極の表面に磁気的に捕捉した。次いで、結合していない物質をＰｒｏＣｅｌｌ／ＰｒｏＣｅｌｌ  Ｍで除去した。電極に電圧を印可すると、化学発光が誘導され、これを光電子増倍管により測定した。結果を、５点のキャリブレーション曲線によって生成されるキャリブレーション曲線を介して決定した。
【００８３】
キャリブレータおよび対照
０．４ｇ／ＬのＢＳＡを含有するリン酸緩衝生理食塩水に、エピトープ１〜１２および２５〜４０を認識する両方の抗体を含有する化学合成されたＡβ４０抗原を添加した。以下のレベル、０、２５０、５００、２５００、および１０．０００ｐｇ／ｍＬのＡβ４０を生成した。
【００８４】
実施例２
試料集団
アルツハイマー病（ＡＤ）、前頭側頭型認知症などの他の認知症、軽度認知機能障害（ＭＣＩ）、神経疾患、および認知機能正常の患者からなる大規模な試料集団を、数年前に将来を見越して収集した。全ての患者から、同じ時点で脳脊髄液およびＥＤＴＡ血漿もまた並行して収集した。脳のアミロイドβ陽性またはアミロイドβ陰性の状態を測定するためのＰＥＴ画像化が利用できなかったため、Ｒｏｃｈｅ  Ｄｉａｇｎｏｓｔｉｃｓ社製のイムノアッセイβ−アミロイド（１−４２）およびｔＴＡＵを使用して該ＣＳＦ試料を測定した。
【００８５】
試料をアミロイド陽性（＞０．２８）およびアミロイド陰性（＜０．２８）に分類するための参照として、カットオフ値が０．２８を有するＣＳＦにおけるｔＴＡＵ／Ａｂｅｔａ４２比率を使用した。この比率は、ＡＵＣが９４％で読み取られたアミロイドのＰＥＴの外観と高い一致を示した（ｔＴＡＵアッセイの方法書を参照、識別番号０７３５６９９４  １９０、Ｒｏｃｈｅ  Ｄｉａｇｎｏｓｔｉｃｓ  ＡＧ、ＣＨ）。
【００８６】
以下の患者の試料を測定した。
【００８７】
【表１】
2021532345.tif 000002
【００８８】
アミロイド陽性／陰性の定義のために、試料をアミロイド＋（＞０．２８）とアミロイド−（＜０．２８）とに分類するための参照として、カットオフ値が０．２８のＣＳＦにおけるｔＴａｕ／Ａｂｅｔａ４２比率を使用した。
【００８９】
実施例３
データ分析
予測力を、様々なモデルを使用して比較した。最も基本的な「モデル」は、２つ以上のバイオマーカーの比率である（一方のバイオマーカーの値をもう一方の値で除算する）。２つ以上のマーカー間の非線形関係を可能にするために、異なるマーカーの組み合わせを有するロジスティック回帰モデルを導入した。より特に、以下の比率およびモデルを比較した。
・  Ａｂ４２／Ａｂ４０比率（参照）
・  ｔＴａｕ／Ａｂ４２比率
・  Ａｂ４２／Ａｂ４０（比率）＋ｔＴａｕ（モデル２、加重計算）
・  Ａｂ４２＋Ａｂ４０＋ｔＴａｕ（モデル１、加重計算）
ロジスティック回帰（またはｌｏｇｉｔ回帰）は、バイナリ従属変数を記載するモデルを推定するための統計的方法である。事象の確率の対数オッズは、予測変数の線形結合である。推定された応答は、予測変数（本明細書ではバイオマーカー）に基づくバイナリ応答（本明細書ではアミロイド＋／−）の確率である。これは、それらの独立変数レベルに基づいて新しい試料のクラスを予測するための分類器として使用することができる。
【００９０】
モデルは次のように解釈することができる：
ｌｏｇｉｔ（ｐ）＝β０＋β１Ｘ１＋β２Ｘ２＋β３Ｘ３
ここで、ｐは、アミロイド＋である確率であり、Ｘは、予測バイオマーカー（血漿Ａｂ４２、血漿Ａｂ４０、血漿ｔＴａｕ、または血漿比率）であり、βは係数（重み係数とも呼ばれる）である。
【００９１】
したがって、
【００９２】
【数１】
2021532345.tif 000003
【００９３】
および
【００９４】
【数２】
2021532345.tif 000004
【００９５】
バイオマーカーであるＡｂ４２、Ａｂ４０、およびｔＴａｕの３つの全てに関与する分析では、以下の式を使用して重み付け係数（ａ〜ｅ）を計算した：
ｖ＝ａ＊［Ａβ４０］＋ｂ＊［Ａβ４２］＋ｃ＊［ｔＴａｕ］＋ｄ（モデル１）
ｖ＝ｅ＊［Ａβ４２］／［Ａβ４０］＋ｆ＊［ｔＴａｕ］＋ｇ（モデル２）
さらに、受信者動作特性（ＲＯＣ）曲線が、偽陽性率に対して真陽性率をプロットすることによって確立されている（図１〜４を参照）。真陽性率は感度としても知られる。偽陽性率は、フォールアウトまたは誤警報確率としても知られており、（１−特異度）として計算することができる。曲線下面積（ＡＵＣ）を、試験を特徴付けるために決定した。
【００９６】
実施例４
結果
１．集団１：全ての測定された患者：認知機能正常者、神経疾患者、および様々な種類の認知症の患者
以下の表１ａに示すとおり構成された６２３人のヒト（３７３人のアミロイド陽性および２５０人のアミロイド陰性）の集団を第１のデータ分析に使用した：
【００９７】
【表２】
2021532345.tif 000005
【００９８】
集団は、上記のとおり、認知機能正常（ＮＡなし）、並びに様々な種類の認知症の患者を含む。分析の結果は、以下の表１ｂに要約される。
【００９９】
【表３】
2021532345.tif 000006
【０１００】
したがって、モデル１（Ａｂ４２＋Ａｂ４０＋ｔＴａｕ）は、
ｌｏｇｉｔ（ｐ）＝０．９７＋０．１１＊［ｔＴａｕ］−０．２５＊［Ａβ４２］＋１１．０４＊［Ａβ４０］
と記述することができ、
モデル２（Ａｂ４２／Ａｂ４０＋ｔＴａｕ）は、
ｌｏｇｉｔ（ｐ）＝１．８０＋０．０９＊［ｔＴａｕ］−４３．１９＊［Ａβ４２］／［Ａβ４０］
と記述することができる。
【０１０１】
４つの異なるマーカーの組み合わせの分析の品質は、図１に示され、表１ｃに明記されるとおり感度と特異度によって特徴付けることができる。
【０１０２】
【表４】
2021532345.tif 000007
【０１０３】
明らかに、現在使用されているマーカーの標準的な組み合わせ（Ａｂ４２／Ａｂ４０）を改善することができる。Ａβ４２、Ａβ４０、およびｔＴａｕのマーカーの組み合わせは、標準の組み合わせよりも優れており、モデル１が最良の結果を与える。
【０１０４】
２．集団２：認知機能正常者およびアルツハイマー病の様々な病期の患者
以下の表２ａに示すとおり構成された、３８１人のヒトの集団を、第２のデータ分析で使用した。
【０１０５】
【表５】
2021532345.tif 000008
【０１０６】
集団は、認知機能正常者、並びにアルツハイマー病の様々な病期の患者を含むが、他の形態の認知症および神経疾患は除外される。分析の結果は、以下の表２ｂに要約される。
【０１０７】
【表６】
2021532345.tif 000009
【０１０８】
したがって、モデル１（Ａｂ４２＋Ａｂ４０＋ｔＴａｕ）は、
ｌｏｇｉｔ（ｐ）＝２．３３＋０．１３＊［ｔＴａｕ］−０．３９＊［Ａβ４２］＋１６．９５＊［Ａβ４０］
と記述することができ、
モデル２（Ａｂ４２／Ａｂ４０＋ｔＴａｕ）は、
ｌｏｇｉｔ（ｐ）＝３．７０＋０．０９＊［ｔＴａｕ］＋６６．４４＊［Ａβ４２］／［Ａβ４０］
と記述することができる。
【０１０９】
４つの異なるマーカーの組み合わせの分析の品質は、図２に示され、表２ｃに明記されるとおり感度と特異度によって特徴付けることができる。
【０１１０】
【表７】
2021532345.tif 000010
【０１１１】
明らかに、現在使用されているマーカーの標準的な組み合わせ（Ａｂ４２／Ａｂ４０）を改善することができる。Ａβ４２、Ａβ４０、およびｔＴａｕのマーカーの組み合わせは、標準の組み合わせよりも優れており、モデル１が最良の結果を与える。集団１においては、認知症患者が認知症診断において偽認知症群に割り当てられていた可能性があるため、他の認知症の患者を除外した集団の分析は、より良い結果につながり得ると仮定される。この仮定は、アミロイド陰性認知症を患っている患者の脳脊髄液試料がアミロイド陽性であることが判明したという事実に基づいている（表１ａを参照）。
【０１１２】
３．集団３：認知機能正常者および軽度認知機能障害の患者
以下の表３ａに示すとおり構成された、１５１人のヒトの集団を、第３のデータ分析で使用した。
【０１１３】
【表８】
2021532345.tif 000011
【０１１４】
集団は、上記のとおり、認知機能正常者、並びに軽度の認知機能障害の患者を含む。分析の結果は、以下の表３ｂに要約される。
【０１１５】
【表９】
2021532345.tif 000012
【０１１６】
したがって、モデル１（Ａｂ４２＋Ａｂ４０＋ｔＴａｕ）は、
ｌｏｇｉｔ（ｐ）＝２．６９＋０．０３＊［ｔＴａｕ］−０．３８＊［Ａβ４２］＋１６．２８＊［Ａβ４０］
と記述することができ、
モデル２（Ａｂ４２／Ａｂ４０＋ｔＴａｕ）は、
ｌｏｇｉｔ（ｐ）＝４．５０＋０＊［ｔＴａｕ］＋７６．０９＊［Ａβ４２］／［Ａβ４０］
と記述することができる。
【０１１７】
４つの異なるマーカーの組み合わせの分析の品質は、図３に示され、表３ｃに明記されるとおり感度と特異度によって特徴付けることができる。
【０１１８】
【表１０】
2021532345.tif 000013
【０１１９】
明らかに、現在使用されているマーカーの標準的な組み合わせ（Ａｂ４２／Ａｂ４０）を改善することができる。Ａβ４２、Ａβ４０、およびｔＴａｕのマーカーの組み合わせは、標準の組み合わせよりも優れており、モデル１が最良の結果を与える。集団３は、アルツハイマー病の非常に初期の病期としてのＭＣＩの検出において特に診断的に関心があるものである。
【０１２０】
４．集団４：認知機能正常者、および軽度認知機能障害または軽度アルツハイマー病の患者
以下の表４ａに示すとおり構成された、２５１人のヒトの集団を、第４のデータ分析で使用した。
【０１２１】
【表１１】
2021532345.tif 000014
【０１２２】
集団は、上記のとおり、認知機能正常（ＮＡなし）、並びに軽度認知機能障害または軽度アルツハイマー病の患者を含む。分析の結果は、以下の表４ｂに要約される。
【０１２３】
【表１２】
2021532345.tif 000015
【０１２４】
したがって、モデル１（Ａｂ４２＋Ａｂ４０＋ｔＴａｕ）は、
ｌｏｇｉｔ（ｐ）＝３．００＋０．０６＊［ｔＴａｕ］−０．４６＊［Ａβ４２］＋２０．９０＊［Ａβ４０］
と記述することができ、
モデル２（Ａｂ４２／Ａｂ４０＋ｔＴａｕ）は、
ｌｏｇｉｔ（ｐ）＝５．１３＋０．０４＊［ｔＴａｕ］＋８５．４６＊［Ａβ４２］／［Ａβ４０］
と記述することができる。
【０１２５】
４つの異なるマーカーの組み合わせの分析の品質は、図４に示され、表４ｃに明記されるとおり感度と特異度によって特徴付けることができる。
【０１２６】
【表１３】
2021532345.tif 000016
【０１２７】
明らかに、現在使用されているマーカーの標準的な組み合わせ（Ａｂ４２／Ａｂ４０）を改善することができる。Ａβ４２、Ａβ４０、およびｔＴａｕのマーカーの組み合わせは、標準の組み合わせよりも優れており、モデル１が最良の結果を与える。集団４は、ＭＣＩを含むＡＤの初期病期の検出において特に診断的に関心があるものである。
【０１２８】
５．概要の表
【０１２９】
【表１４】
2021532345.tif 000017
【図１】
2021532345.tif 000018
【図２】
2021532345.tif 000019
【図３】
2021532345.tif 000020
【図４】
2021532345.tif 000021
【国際調査報告】
2021532345.tif 000022
2021532345.tif 000023